(57)【特許請求の範囲】
【請求項１】
電子メールを送受信する無線通信部と、
前記無線通信部により受信された電子メールに関する表示を行うと共に前記電子メールが受信されたことを報知する表示部と、
複数のアイコンと、前記複数のアイコンそれぞれと関連付けられた複数の画像とを記憶する記憶部と、
前記電子メールに含まれる文字データを解析し、当該解析結果に基づいて前記複数のアイコンのうちの一つを特定して前記表示部に表示させることが可能であると共に、前記電子メールに添付される所定の添付ファイルに基づいた画像を前記表示部に表示させることが可能である制御部と、を備え、
前記制御部は、前記無線通信部により前記所定の添付ファイルを含む電子メールが受信された場合、当該電子メールが受信されたことを報知するときに、前記表示部に前記所定の添付ファイルに基づいた画像と前記解析結果により特定されたアイコンとを表示させると共に、前記所定の添付ファイルに基づいた画像が、前記解析結果に基づいて特定されたアイコンに関連付けられた画像と異なる場合、前記表示部に所定の警告表示を行わせる
携帯端末装置。
【発明の詳細な説明】
【技術分野】
【０００１】
本発明は、電子メールを送受信可能な携帯端末装置に関する。
【背景技術】
【０００２】
近年、携帯端末装置としての携帯電話機が普及したことにより、電子メールをやり取りする機会が多くなっている。これにより、受信する電子メールの件数が増大し、全てのメールを確認する時間が取れない場合がある。タイトルや発信者の情報により確認すべき電子メールを選択することはできるが、同じ発信者から何通もの電子メールを受信する場合や、タイトルだけで本文がない電子メールを受信する場合もある。このような状況のなか、電子メール内容の傾向を簡易に把握できる機能が望まれている。
【０００３】
これに対し、形態素解析技術を用いて受信した電子メールにおける内容を解析すると共に解析結果を用いて感情判定を行うことで、電子メール内容の傾向を簡易に把握できる機能を有する通信機器が提案されている（例えば、特許文献１参照）。
【特許文献１】特開２００７−１４８９３９号公報
【発明の開示】
【発明が解決しようとする課題】
【０００４】
ここで、送信者側で電子メール内容の傾向を示す画像を添付して電子メールを送信することができるサービスが行われている。特許文献１における通信機器において、このようなサービスを利用した場合、送信者側が添付した画像により示される電子メール内容の傾向と、受信者側が解析した電子メール内容の傾向とが競合するという問題がある。
【０００５】
本発明は、送信者側が添付した添付ファイルに基づいた画像と、受信者側で文書データを解析した結果に対応して選択されたアイコンとを表示可能な携帯端末装置であって、電子メール内容の傾向を示す表示として信憑性が高い表示を行うことができる携帯端末装置を提供することを課題とする。
【課題を解決するための手段】
【０００６】
本発明は、電子メールを送受信する無線通信部と、前記無線通信部により受信された電子メールに関する表示を行うと共に前記電子メールが受信されたことを報知する表示部と、複数のアイコンを記憶する記憶部と、前記電子メールに含まれる文字データを解析し、当該解析結果に基づいて前記複数のアイコンのうちの一つを特定して前記表示部に表示させることが可能であると共に、前記電子メールに添付される所定の添付データに基づいた画像を前記表示部に表示させることが可能である制御部と、を備え、前記無線通信部により前記所定の添付ファイルを含む電子メールが受信された場合、当該電子メールが受信されたことを報知するときに、前記制御部は、前記表示部に前記所定の添付ファイルに基づいた画像を表示させ、前記無線通信部により前記所定の添付ファイルを含まない電子メールが受信された場合、当該電子メールが受信されたことを報知するときに、前記制御部は、前記表示部に前記解析結果により特定されるアイコンを表示させる携帯端末装置に関する。
【０００７】
本発明は、電子メールを送受信する無線通信部と、前記無線通信部により受信された電子メールに関する表示を行うと共に前記電子メールが受信されたことを報知する表示部と、複数のアイコンを記憶する記憶部と、前記電子メールに含まれる文字データを解析し、当該解析結果に基づいて前記複数のアイコンのうちの一つを特定して前記表示部に表示させることが可能であると共に、前記電子メールに添付される所定の添付データに基づいた画像を前記表示部に表示させることが可能である制御部と、を備え、前記無線通信部により前記所定の添付ファイルを含む電子メールが受信された場合、当該電子メールが受信されたことを報知するときに、前記制御部は、前記表示部に前記所定の添付ファイルに基づいた画像と前記解析結果により特定されたアイコンとを表示させる携帯端末装置に関する。
【０００８】
また、前記記憶部には、前記複数のアイコンそれぞれと関連付けられた画像が複数記憶され、前記所定の添付ファイルに基づいた画像が、前記解析結果に基づいて特定されたアイコンに関連付けられた画像と異なる場合、前記制御部は、前記表示部に所定の警告表示を行わせることが好ましい。
【０００９】
本発明は、テキスト形式及びＨＴＭＬ形式の電子メールを送受信する無線通信部と、前記無線通信部により受信された電子メールに関する表示を行うと共に前記電子メールが受信されたことを報知する表示部と、複数のアイコンを記憶する記憶部と、前記電子メールに含まれる文字データを解析し、当該解析結果に基づいて前記複数のアイコンのうち一つを特定して前記表示部に表示させることが可能であると共に、前記電子メールに添付される所定の添付データに基づいた画像を前記表示部に表示させることが可能である制御部と、を備え、前記無線通信部によりテキスト形式の電子メールが受信された場合、当該電子メールが受信されたことを報知するときに、前記制御部は、前記表示部に前記解析結果により特定されるアイコンを表示させ、前記無線通信部によりＨＴＭＬ形式であると共に前記所定の添付ファイルを含む電子メールが受信された場合、当該電子メールが受信されたことを報知するときに、前記制御部は、前記表示部に前記所定の添付ファイルに基づいた画像を表示させる携帯端末装置に関する。
【発明の効果】
【００１０】
本発明によれば、送信者側が添付した添付ファイルに基づいた画像と、受信者側で文書データを解析した結果に対応して選択されたアイコンとを表示可能な携帯端末装置であって、電子メール内容の傾向を示す表示として信憑性が高い表示を行うことができる携帯端末装置を提供することができる。
【発明を実施するための最良の形態】
【００１１】
以下、図面を参照して本発明を実施するための最良の形態を説明する。
まず、図１から図９により、携帯端末装置としての携帯電話機１における第１実施形態について説明する。
図１及び図２により、携帯電話機１における第１実施形態について説明する。図１は、携帯電話機１を開いた状態における正面斜視図である。図２は、携帯電話機１の回路ブロック図である。
【００１２】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能である。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００１３】
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力されるマイクとしてのマイク１２とがそれぞれ露出するように構成される。
【００１４】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。決定操作キー１５は、環状キー１５ａと、円状キー１５ｂとにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００１５】
マイク１２は、操作部側筐体２の長手方向における連結部４側と反対の外端部側に配置される。つまり、マイク１２は、携帯電話機１が開状態において一方の外端部側に配置される。
【００１６】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキー１６と、外部メモリの挿入及び取り出しが行われるインターフェース（図示せず）とが配置される。インターフェースは、キャップ１７により覆われている。
【００１７】
表示部側筐体３は、外面がフロントケース３ｂとリアケース３ｃとにより構成される。表示部側筐体３におけるフロントケース３ｂには、各種情報を表示するためのＬＣＤ表示部２１と、通話の相手側の音声を出力するレシーバとしてのスピーカ２２と、が露出するように配置される。
【００１８】
ＬＣＤ表示部２１は、液晶パネルと、この液晶パネルを駆動する駆動回路と、この液晶パネルの背面側から光を照射するバックライト等の光源部とにより構成される。
【００１９】
ＬＣＤ表示部２１には、受信した電子メールの内容、電子メールに添付された画像データに基づく画像、特定のアイコンや電子メールの受信を報知する受信表示等が表示される。
【００２０】
なお、本実施形態においては、連結部４により折り畳み可能な携帯電話機１の説明をしているが、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターンタイプ）式や、操作部側筐体２と表示部側筐体３とが一つの筐体に配置され連結部を有さない型式（ストレートタイプ）でもよい。
【００２１】
次に、図２により、携帯電話機１の回路構成について説明する。
図２に示すように、操作部側筐体２に配置される操作部１０１と、マイク１２と、メインアンテナ４０と、ＲＦ回路部４１と、ＬＣＤ制御部４２と、音声処理部４３と、メモリ４４と、ＣＰＵ４５と、電源部４６と、制御ＩＣ４７と、表示部側筐体３に配置されるＬＣＤ表示部２１と、スピーカ２２と、ドライバＩＣ２５とを備える。
【００２２】
無線通信部を構成するメインアンテナ４０は、所定の使用周波数帯（例えば、８００ＭＨｚ）で外部装置と通信を行う。メインアンテナ４０により、音声通話のほか電子メールの送受信が行われる。
【００２３】
メインアンテナ４０を介して送受信される電子メールは、テキスト形式やＨＴＭＬ形式等の所定の形式で作成される。電子メールは、ヘッダー及びメール本文からなるメール本体と、添付ファイルとを有する。ヘッダーには、送信者におけるアドレス等の属性情報が含まれる。メール本文には、送信者等が作成した文字情報が含まれる。このメール本文に含まれる文字情報は、後述する形態素解析の対象となる。このメール本文の文字情報を形態素解析した結果に対応して、後述する特定のアイコンが選択される。添付ファイルには、静止画や動画等の画像ファイルが含まれる。
【００２４】
本実施形態では、所定の使用周波数帯を８００ＭＨｚとしたが、異なる他の周波数帯であってもよい。また、メインアンテナ４０は、所定の使用周波数帯だけでなく、他の使用周波数帯（例えば、２ＧＨｚ）にも対応できるいわゆるデュアルバンド対応型による構成であってもよい。
【００２５】
ＲＦ回路部４１は、メインアンテナ４０によって受信した信号を復調処理し、処理後の信号をＣＰＵ４５に供給すると共に、ＣＰＵ４５から供給された信号を変調処理し、メインアンテナ４０を介して外部装置（基地局）に送信するよう構成される。
【００２６】
制御部としてのＣＰＵ４５は、携帯電話機１の全体を制御する。ＣＰＵ４５は、特に、ＲＦ回路部４１、ＬＣＤ制御部４２及び音声処理部４３に対して所定の制御を行う。ＣＰＵ４５は上述のように各部を制御すると共に、後述する形態素解析やアイコンの特定等を行う。具体的には、ＣＰＵ４５は、後述する機能部としての形態素解析部２０３と、感情種別判定部２０４と、アイコン選択部２０５と、添付ファイル選択部２１０等を有する。
【００２７】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングでＬＣＤ表示部２１に出力する。
【００２８】
ＬＣＤ表示部２１は、ドライバＩＣ２５から入力されたデータに基づいて、所定の文字や画像を表示する。ＬＣＤ表示部２１には、ＣＰＵ４５の制御にしたがって、後述するアイコンや所定の添付ファイルに基づく画像が表示される。具体的には、受信した電子メールのメール本文における文字情報のほか、後述するＣＰＵ４５の指示により、特定のアイコン、所定の添付ファイルに基く画像や電子メールの受信を報知する受信表示等が表示される。
【００２９】
メモリ４４は、所定のデータが格納されている。具体的には、メモリ４４には、各種機能プログラムや通信時に利用されるアドレス情報等のほか、後述する感情評価用ＤＢ２２０や、複数のアイコンを含む感情種別−アイコンＤＢ等が記憶される。また、メモリ４４には、所定の画像（受信時表示画像付きメール用等）に関連付けられた補助画像（アイコン等）が記憶される。補助画像は、外字コードとして記憶されていてもよい。また、メモリ４４には、電子メールに添付された画像データや、形態素解析された文字情報等が記憶される。
【００３０】
音声処理部４３は、ＣＰＵ４５の制御にしたがって、ＲＦ回路部４１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号をＲＦ回路部４１に出力する。ＲＦ回路部４１は、音声処理部４３から入力された信号に所定の処理を行うと共に、処理がされた信号をメインアンテナ４０に出力する。
【００３１】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００３２】
図３から図５により、受信された電子メールを処理する機能について説明する。
図３は、携帯電話機１における電子メールを処理する機能における機能ブロック図である。図４は、メモリ４４に記憶される感情評価用ＤＢの内容を示す図である。図５は、メモリ４４に記憶される感情種別−アイコンＤＢの内容を示す図である。
【００３３】
図３に示すように、携帯電話機１は、メインアンテナ４０を含む無線通信部２００と、ＣＰＵ２０に含まれる判定部２０１と、形態素解析部２０３と、感情種別判定部２０４と、アイコン選択部２０５と、添付ファイル選択部２１０と、メモリ４４に含まれる感情評価用ＤＢ２２０と、感情種別−アイコンＤＢ２２１と、ＬＣＤ表示部２１と、を有して構成される。
【００３４】
無線通信部２０は、メインアンテナ４０及びＲＦ回路部４１やＣＰＵ４５の一部を含んで構成される。無線通信部２０は、電子メールの送受信を行う。電子メールは、上述のように電子メール本体と、添付ファイルとを含んで構成される。電子メール本体は、ヘッダーとメール本文とを有して構成される。本実施形態において、ヘッダーには、添付ファイルの種別や形式等の情報が含まれる。
【００３５】
判定部２０１は、受信した電子メールに所定の添付ファイルが添付されているかを判定する。具体的には、判定部２０１は、所定の画像データが添付されているかを判定する。例えば、いわゆる受信時表示画像付きメール用の画像データ（アニメーション動画等）が添付されているかを判定する。
【００３６】
判定部２０１は、添付ファイルの種別や形式の情報に基づいて、電子メールに所定の画像デーが添付されているかを判定する。本実施形態においては、添付されたデータに特定の拡張子「.mcx」が含まれる場合、電子メールに所定の添付データとしての画像データが含まれると判定する。判定部２０１により、受信した電子メールに受信時表示画像付きメール用の画像データ等が添付されていると判定された場合、このメールを受信したことを報知する際に、後述する添付ファイル選択部２１０により該画像データに基づく画像をＬＣＤ表示部２１に表示する。具体的には、添付ファイル選択部２１０は、添付された受信時表示用の画像データを展開処理し、メモリ４４における所定の領域に記憶すると共に、該画像データに基づく画像データをメール受信報知時にＬＣＤ表示部２１に表示させる。
【００３７】
判定部２０１により、受信した電子メールに所定の画像データが添付されていないと判定された場合には、後述する形態素解析部２０３によって電子メールのメール本文に含まれる文字情報が形態素解析される。ここで、上述のように、判定部２０１により電子メールに所定の画像データが添付されていると判定された場合には、形態素解析部２０３によるメール本文の形態素解析等なされない。
【００３８】
形態素解析部２０３は、受信した電子メールのメール本文における文字情報を形態素解析する。形態素解析とは、文を名詞、助詞、動詞等の複数の素に分け、これを判別する機能のことである。本実施形態において、形態素解析部２０３による解析の対象はメール本文であるが、ヘッダーのタイトル文を含んだ文字情報を解析対象にしてもよい。
【００３９】
感情種別判定部２０４は、形態素解析部２０３により素に分解された文字情報に基づいて、メール本文の内容における感情種別を判定する。具体的には、まず、感情種別判定部２０４は、素に分解された文字情報とメモリ４４に記憶される感情評価用ＤＢ２２０とを比較して、各感情種別ごとに該当する単語（素）を文字情報から抽出する。次いで、各感情種別ごとに、抽出された単語それぞれに割り振られた重み付け定数を合計する。そして、感情種別判定部２０４は、重み付け定数の合計が最も大きい感情種別を電子メール内容の傾向を表す感情種別と判定する。
【００４０】
感情評価用ＤＢ２２０は、図４に示すように、感情種別が示される感情種別欄２２０ａと、各感情種別に含まれる感情のカテゴリが示されるカテゴリ欄２２０ｂと、感情のカテゴリに対応した単語を示す単語欄２２０ｃと、各単語に割り振られた重み付け定数が示される重み付け定数欄２２０ｄと、を有する。
【００４１】
アイコン選択部２０５は、メモリ４４に記憶される複数のアイコンから、感情種別判定部２０４により判定された感情種別に応じて特定のアイコンを選択すると共に、選択された特定のアイコンをＬＣＤ表示部２１に表示させる。具体的には、アイコン選択部２０５は、メモリ４４に記憶される感情種別−アイコンＤＢ２２１において、感情種別判定部２０４により判定された感情種別に関連付けられたアイコンを選択する。
【００４２】
感情種別−アイコンＤＢ２２１は、図５に示すように、各感情種別が示される感情種別欄２２１ａと、各感情種別に関連付けられたアイコンが示されるアイコン欄２２１ｂと、を有する。各アイコンは、感情種別の内容が簡易に認識できる図柄で構成される。言い換えると、電子メール内容の傾向が簡易に把握できる図柄で構成される。各アイコンは、静止画でも動画でもよい。
【００４３】
添付ファイル選択部２１０は、電子メールに添付される所定の画像データをＬＣＤ表示部２１に表示させる。具体的には、添付ファイル選択部２１０は、判定部２０１により電子メールに所定の画像データが添付されていると判定された場合、電子メールに添付される所定の画像データをＬＣＤ表示部２１に表示させる。
【００４４】
ここで、上述した特定のアイコンや所定の画像データに基づく画像は、電子メールが受信されたことを報知する受信表示と併せて表示される。具体的には、特定のアイコンや所定の画像データに基づく画像は、ＣＰＵ４５における不図示の着信報知部による電子メールの着信を報知させる受信表示やスピーカ２２による着信音出力と共にＬＣＤ表示部２１に表示される。
【００４５】
続けて、図６から図８により、電子メールを受信した場合におけるＬＣＤ表示部２１の表示画像について説明する。図６は、所定の画像データが添付された電子メールの受信時における画面を示す図である。図７は、所定の画像データが添付された電子メールの受信後における画面を示す図である。図８は、所定の画像データが添付されていない電子メールの受信後における画面を示す図である。
【００４６】
図６に示すように、所定の画像データが添付された電子メールの受信中において、ＬＣＤ表示部２１には、添付された画像データに基づく画像３００が背景画面として表示されると共に、電子メールの受信を報知する第１受信表示３０１が表示される。
【００４７】
図７に示すように、所定の画像データが添付された電子メールの受信後において、ＬＣＤ表示部２１には、添付された画像データに基づく画像に関連付けられてメモリ４４に記憶される補助画像３０２が表示されると共に、電子メールの受信を報知する第２受信表示３０３が表示される。ここで、補助画像３０２も画像３００と同様に、所定の画像データに基づいた画像に含まれる。
【００４８】
また、所定の画像データが添付されていない電子メールの受信時においては、ＬＣＤ表示部２１には、電子メールの受信を報知する受信表示は、すぐには表示せず、形態素解析処理に入る。
【００４９】
図８に示すように、所定の画像データが添付されていない電子メールを受信して、形態素解析完了後において、ＬＣＤ表示部２１には、メール本文が形態素解析された結果に基づいて特定されたアイコン３０５が表示されると共に、電子メールの受信を報知する第２受信表示３０３が表示される。
【００５０】
続けて、図９により、電子メールを受信した場合における携帯電話機１の動作について説明する。図９は、電子メールを受信した場合における携帯電話機１の動作を説明するフロー図である。
【００５１】
図９に示すように、まず、携帯電話機１はメインアンテナ４０を介して電子メールを受信する（ＳＴ１）。
次いで、ＣＰＵ４５に含まれる判定部２０１は、電子メールに所定の画像データとしての受信時表示用画像データが添付されているかを判定する（ＳＴ２）。判定部２０１は、電子メールの添付データに拡張子「.mcx」が含まれるか否かで、受信時表示用画像データが添付されているかを判定する。
【００５２】
電子メールに受信時表示用画像データが添付されていると判定された場合、添付された画像データは、メモリ４４の所定領域に記憶される（ＳＴ３）。
そして、メモリ４４に記憶された受信時表示用画像データは、ＣＰＵ４５に含まれる添付ファイル選択部２１０により選択されると共に、受信時表示用画像データに基づく画像が所定の受信表示と併せてＬＣＤ表示部２１に表示される（ＳＴ４）。
受信時表示用画像データに基づく画像と受信表示とがＬＣＤ表示部２１に表示される態様として、図６及び図７に示す表示態様を例示できる。
【００５３】
電子メールに受信時表示用画像データが添付されていない場合、ＣＰＵ４５に含まれる形態素解析部２０３は、メール本文を形態素解析する（ＳＴ５）。
この形態素解析された結果に基づいて、感情種別判定部２０４は、感情種別を判定する単語を抽出する（ＳＴ６）。メール本文に感情種別を判定する単語が含まれる場合には、抽出された単語における重み付け定数により、感情種別が判定される（ＳＴ７）。
【００５４】
アイコン選択部２０５は、メモリ４４に記憶される複数のアイコンから、判定された感情種別に対応する特定のアイコンを選択する（ＳＴ８）。更に、アイコン選択部２０５は、特定されたアイコンをＬＣＤ表示部２１に表示させる（ＳＴ９）。ＬＣＤ表示部２１には、上述と同様に、受信表示がアイコンと併せて表示される。
アイコンと受信表示とがＬＣＤ表示部２１に表示される態様として、図８に示す表示態様を例示できる。
【００５５】
続けて、メール本文に感情種別を判定する単語が含まれない場合には、アイコン選択部２０５は、メール本文の内容に関係なくその他・通常アイコンを選択する（ＳＴ１０）。更に、アイコン選択部２０５は、選択したその他・通常アイコンをＬＣＤ表示部２１に表示させる（ＳＴ１１）。ＬＣＤ表示部２１には、上述と同様に、受信表示がアイコンと併せて表示される。
【００５６】
本実施形態によれば、受信した電子メール内容の傾向に、２つの処理が競合することなく、より近い画像等を表示させることができる。メール本文の内容を知っている送信者等が添付した画像データを優先して表示させることにより、電子メール内容の傾向を示す表示として信憑性が高い表示をすることができる。
【００５７】
また、本実施形態によれば、電子メールに所定の画像データが添付されている場合には、メール本文の形態素解析を行わないので、携帯電話機１における処理負担を軽減することができる。
【００５８】
また、本実施形態によれば、送信者により添付された所定の画像データがない場合でも、形態素解析を利用して電子メール内容の傾向を示すアイコンを表示することができる。これにより、電子メール内容の傾向を示す表示がなされるので、電子メールを読むことなく電子メール内容の傾向を把握することができる。
【００５９】
以上、第１実施形態について説明したが、第１実施形態は上述の形態に限定されることなく種々の形態で実施することができる。
第１実施形態の特にステップＳＴ２において、判定部２０１は、電子メールの添付ファイルに拡張子「.mcx」が含まれるか否かで所定の画像データ（例えば、受信時表示用画像データ）が添付されるかを判定しているが、これに限定されない。例えば、判定部２０１は、電子メールの形式に基づいて上記判定をするように構成してもよい。
【００６０】
この場合、具体的には、判定部２０１は、まず、電子メールの形式について判断する。電子メールの形式がテキスト形式である場合、判定部２１０は、電子メールに特定拡張子を有する所定の画像データが添付されていないと判定し、メール本文について形態素解析等させる。そして、電子メールの形式がＨＴＭＬ形式である場合、判定部２０１は、電子メールに特定拡張子を有する所定の画像データが添付されるかを更に判定する。ＨＴＭＬ形式の電子メールに所定の画像が添付されている場合、判定部２１０は、所定の画像データをメモリ４４に記憶等させる。
【００６１】
このように、電子メールの形式により機能が異なるように設定されていることを利用したので、判別部２０１は、所定の画像データが添付されていない場合を更に高速に判定することができる。これにより、早期に電子メール内容の傾向を示すアイコンを表示させることができると共に、信頼性が高い表示を維持することができる。
【００６２】
次いで、図１０から図１３により、携帯端末装置としての携帯電話機１における第２実施形態について説明する。
ここで、第２実施形態の携帯電話機１における外部構造及び内部構造は、図１及び図２通りであるのでこれらの説明は省略する。
【００６３】
本実施形態における携帯電話機１は、所定の画像データが添付されているか否かにかかわらずメール本文を形態素解析し、その形態素解析の結果に応じた特定のアイコンを表示する点で第１実施形態の携帯電話機１と相違する。
【００６４】
言い換えると、本実施形態における携帯電話機１は、所定の画像データ（受信時表示用グ画像データ等）が添付された電子メールを受信した場合、所定の画像データに基づく画像と、形態素解析の結果に応じた特定のアイコンとの双方を表示する点で第１実施形態における携帯電話機１と相違する。
【００６５】
ここで、送信者側で添付した所定の画像データに基づく画像が示すメール内容の傾向と、受信者側でメール本文を解析した結果に応じたアイコンが示すメール内容の傾向とが異なる場合、その不一致を報知する警告表示を表示する点でも第１実施形態の携帯電話機１と相違する。
【００６６】
以下に、第１実施形態における携帯電話機１と相違する点を中心に本実施形態における携帯電話機１について説明する。
【００６７】
図１０から図１２により、受信された電子メールを処理する機能について説明する。
図１０は、第２実施形態の携帯電話機１における電子メールを処理する機能における機能ブロック図である。図１１は、メモリ４４に記憶されるアイコン−受信時表示用画像ＤＢの内容を示す図である。図１２は、第２実施形態における所定の画像データが添付された電子メールの受信後における画面を示す図である。
【００６８】
図１０に示すように、携帯電話機１は、メインアンテナ４０及びＲＦ回路部４１やＣＰＵ４５の一部を含む無線通信部２００と、ＣＰＵ４５に含まれる判定部２０１と、形態素解析部２０３と、感情種別判定部２０４と、アイコン選択部２０５と、添付ファイル選択部２１０と、不一致判定部２３０と、メモリ４４に含まれる感情評価用ＤＢ２２０と、感情種別−アイコンＤＢ２２１と、アイコン−受信時表示用画像ＤＢ２２２と、ＬＣＤ表示部２１と、を有して構成される。
【００６９】
本実施形態の携帯電話機１は、不一致判定部２３０及びアイコン−受信時表示用画像ＤＢ２２２を有する点で相違する。本実施形態においては、上述のように、電子メールに添付された画像データに基づいた画像と、特定のアイコンとの双方を表示するため、双方それぞれが示す内容傾向が異なる場合がある。このような場合、不一致であることを報知するための警告表示をするため、上述の不一致判定部２３０及びアイコン−受信時表示用画像ＤＢ２２２を有する。
【００７０】
不一致判定部２３０は、添付ファイル選択部２１０によりＬＣＤ表示部２１に表示される画像（受信時表示画像や補助画像）が示すメール内容の傾向と、特定のアイコンが示すメール内容の傾向とが不一致であるかを判定する。具体的には、不一致判定部２３０は、上記画像と特定のアイコンとをメモリ４４に記憶されるアイコン−受信時表示用画像ＤＢ２２２と比較して、互いに関連付けられているかを判定する。言い換えると、不一致判定部２３０は、画像とアイコンとが同じ感情種別に区分けられている場合には一致と判定し、互いに異なる感情種別に区分けられている場合には不一致と判定する。
【００７１】
アイコン−受信時表示用画像ＤＢ２２２は、図１１に示すように、各感情種別が示される感情種別欄２２２ａと、各感情種別に関連付けられたアイコンが示されるアイコン欄２２２ｂと、アイコンに関連付けられた受信時表示用画像や補助画像等の画像（本実施形態においては、補助画像）が示される画像欄２２２ｃとを有する。感情種別ごとに区分けされるアイコン及び画像は、各感情種別の内容が簡易に認識できる図柄等で構成されると共に、互いに関連付けられて記憶される。
【００７２】
続けて、図１２により、電子メールを受信した場合におけるＬＣＤ表示部２１の表示画像について説明する。
図１２に示すように、所定の画像データが添付された電子メールの受信時、形態素解析処理が完了した後において、ＬＣＤ表示部２１に添付された画像データに基づく画像に関連付けられてメモリ４４に記憶される補助画像３０２と、メール本文が形態素解析された結果に基づいて特定されたアイコン３０５との双方が表示される。更に、ＬＣＤ表示部２１には、電子メールの受信を報知する第２受信表示３０３が表示される。
【００７３】
図１２に示すように、ＬＣＤ表示部２１には、補助画像３０２と、アイコン３０５が表示される。その一方でＣＰＵ４５は、補助画像３０２とアイコン３０６とを、アイコン−受信時表示用画像ＤＢ２２２に基づいて比較する。この補助画像３０２とアイコン３０５とは、図１１に示されるアイコン−受信時表示用画像ＤＢ２２２において、異なる感情種別に区分けされている。つまり、補助画像３０２とアイコン３０５とは、上述の不一致判定部２３０により不一致と判定される。これにより、不一致判定部２３０は、ＬＣＤ表示部２１に警告表示として第２受信表示３０３を点滅表示させる。第２受信表示３０３が点滅表示することで、補助画像３０２が示すメール内容の傾向と、アイコン３０５が示すメール内容の傾向とが一致していないことが簡易に把握され、メールの内容が複雑であり、必ず内容を読み込まねば判定がつきかねることがわかる。ここで、補助画像３０２も画像３００と同様に、所定の画像データに基づいた画像に含まれる。
【００７４】
続けて、図１３により、電子メールを受信した場合における携帯電話機１の動作について説明する。
図１３は、第２実施形態における電子メールを受信した場合の携帯電話機１における動作を説明するフロー図である。
【００７５】
図１３に示すように、まず、携帯電話機１はメインアンテナ４０を介して電子メールを受信する（ＳＴ１０１）。
次いで、ＣＰＵ４５に含まれる判定部２０１は、電子メールに特定拡張子を有する所定の画像データとしての受信時表示用画像データが添付されているかを判定する（ＳＴ１０２）。判定部２０１は、電子メールに拡張子「.mcx」が含まれるか否かで、受信時表示用画像データが添付されているかを判定する。
【００７６】
電子メールに受信時表示用画像データが添付されていると判定された場合、添付された画像データは、メモリ４４の所定領域に記憶される（ＳＴ１０３）。
そして、メモリ４４に記憶された受信時表示用画像データは、ＣＰＵ４５に含まれる添付ファイル選択部２１０により選択されると共に、受信時表示用画像データに基づく画像が所定の受信表示と併せてＬＣＤ表示部２１に表示される（ＳＴ１０４）。
【００７７】
続けて、ＣＰＵ４５に含まれる形態素解析部２０３は、メール本文を形態素解析する（ＳＴ１０５）。
この形態素解析された結果に基づいて、感情種別判定部２０４は、感情種別を判定する単語を抽出すると共に、抽出された単語における重み付け定数により感情種別を判定する（ＳＴ１０６）。
【００７８】
アイコン選択部２０５は、メモリ４４に記憶される複数のアイコンから、判定された感情種別に対応する特定のアイコンを選択する（ＳＴ１０７）。更に、アイコン選択部２０５は、特定されたアイコンをＬＣＤ表示部２１に表示させる（ＳＴ１０８）。ＬＣＤ表示部２１には、受信表示も併せて表示される。
【００７９】
続けて、不一致判定部２３０は、所定の画像データに基づく画像と、特定のアイコンとが関連付けられているかをメモリ４４に記憶されるアイコン−受信時表示用画像ＤＢ２２２により判定する（ＳＴ１０９）。
【００８０】
不一致判定部２３０により一致していると判定された場合、ＬＣＤ表示部２１には、警告表示がされない（ＳＴ１１０）。
不一致判定部２３０により一致していないと判定された場合、ＬＣＤ表示部２１には、警告表示がされる（ＳＴ１１１）。
【００８１】
ここで、図１２に示すように、ＬＣＤ表示部２１には、電子メールに添付された所定の画像データに基づく補助画像３０２と、特定のアイコン３０５とが併せて表示される。そして、不一致判定部２３０により不一致であると判定された場合、警告表示としての点滅表示３０７をさせる。これにより、補助画像３０２が示すメール内容の傾向と、特定のアイコン３０５が示すメール内容の傾向とが異なることが報知される。
【００８２】
続けて、電子メールに受信時表示用画像データが添付されていない場合、ＣＰＵ４５に含まれる形態素解析部２０３は、メール本文を形態素解析する（ＳＴ１１２）。
この形態素解析された結果に基づいて、感情種別判定部２０４は、感情種別を判定する単語を抽出すると共に、抽出された単語における重み付け定数により感情種別を判定する（ＳＴ１１３）。
【００８３】
アイコン選択部２０５は、メモリ４４に記憶される複数のアイコンから、判定された感情種別に対応する特定のアイコンを選択する（ＳＴ１１４）。更に、アイコン選択部２０５は、特定されたアイコンをＬＣＤ表示部２１に表示させる（ＳＴ１１５）。ＬＣＤ表示部２１には、受信表示も併せて表示される。
【００８４】
本実施形態によれば、メール本文の内容を知っている送信側が添付した所定の画像データに基づく画像と、受信側で形態素解析して結果に基づいて選択された特定のアイコンとを併せて表示するので、電子メール内容の傾向を示す表示として信憑性が高い表示をすることができる。
【００８５】
また、本実施形態によれば、電子メールに添付された所定の画像データに基づく画像が示すメール内容の傾向と、特定のアイコンが示すメール内容の傾向とが一致しない場合には、所定の警告表示をする。これにより、画像とアイコンとが示すメール内容の傾向が不一致であることを報知するので、電子メール内容の傾向を示す表示としてより信憑性が高い表示をすることができる。
【００８６】
以上、第２実施形態について説明したが、第２実施形態は上述の形態に限定されることなく種々の形態で実施することができる。本実施形態は、ＣＰＵ４５に含まれる判定部２０１を有しているが、これに限定されず、判定部２０１を有しなくてもよい。本実施形態においては、電子メールに所定の画像データが添付されている場合でも、メール本文が形態素解析等なされるからである。
【００８７】
更に、上記において、第１実施形態及び第２実施形態について説明したが、第１実施形態及び第２実施形態は上述の形態に限定されることなく種々の形態で実施することができる。例えば、形態素解析やアイコンの区分けを、感情種別を基準としているが、これに限定されず、例えば、緊急性や重要性等を基準にして区分けしてもよい。
【００８８】
また、上述において、携帯端末装置として携帯電話機の例を示したが、これに限定されず、通信機能付きのポータブルゲーム、ナビゲーションやＰＤＡ等でも実施可能である。
【００８９】
なお、上述において、電子メールに含まれる文字データの解析として形態素解析を例に示したが、単に感情等を判定するための特定のキーワードが含まれるかどうかに基づいて判定するような単純な解析であってもよい。
【図面の簡単な説明】
【００９０】
【図１】携帯電話機１を開いた状態における正面斜視図である。
【図２】携帯電話機１の回路ブロック図である。
【図３】携帯電話機１における電子メールを処理する機能における機能ブロック図である。
【図４】メモリ４４に記憶される感情評価用ＤＢの内容を示す図である。
【図５】メモリ４４に記憶される感情種別−アイコンＤＢの内容を示す図である。
【図６】所定の画像データが添付された電子メールの受信時における画面を示す図である。
【図７】所定の画像データが添付された電子メールの受信後における画面を示す図である。
【図８】所定の画像データが添付されていない電子メールの受信後における画面を示す図である。
【図９】電子メールを受信した場合における携帯電話機１の動作を説明するフロー図である。
【図１０】第２実施形態の携帯電話機１における電子メールを処理する機能における機能ブロック図である。
【図１１】メモリ４４に記憶されるアイコン−受信時表示画像ＤＢの内容を示す図である。
【図１２】第２実施形態における所定の画像データが添付された電子メールの受信後における画面を示す図である。
【図１３】第２実施形態における電子メールを受信した場合の携帯電話機１における動作を説明するフロー図である。
【符号の説明】
【００９１】
１        携帯電話機
２１      ＬＣＤ表示部
４４      メモリ
４５      ＣＰＵ
２００    無線通信部
２０１    判定部
２０３    形態素解析部
２０５    アイコン選択部
２１０    添付ファイル選択部
【図１】
0005132221.tif 000002
【図２】
0005132221.tif 000003
【図３】
0005132221.tif 000004
【図４】
0005132221.tif 000005
【図５】
0005132221.tif 000006
【図６】
0005132221.tif 000007
【図７】
0005132221.tif 000008
【図８】
0005132221.tif 000009
【図９】
0005132221.tif 000010
【図１０】
0005132221.tif 000011
【図１１】
0005132221.tif 000012
【図１２】
0005132221.tif 000013
【図１３】
0005132221.tif 000014